(57)【要約】【課題】機種交換の際に、ガラス扉と遊技盤ユニットや遊技盤などを一体化して交換するにあたって、交換作業の作業性を向上する。【解決手段】新たな機種のガラス枠１３を本体ユニット１１に取り付ける場合は、先ず、ガラス枠１３を本体ユニット１１に挿入する。ガラス枠取り付け装置３０の操作部３０ａをロック解除位置に回動すると、係止部材３０ａが待避位置から係止位置に突出する。操作部３０ａをロック解除位置からロック位置に揺動すると、係止部材取付部３０ｃが係止解除位置から係止位置に変位する。係止部材３０ｂが係止部材引っかけ部３１に係止し、ガラス枠１３を本体ユニット１１に固定できる。【選択図】        図５
2004283472.tif 000002
【特許請求の範囲】
【請求項１】
遊技状態に応じて作動される装置が取付可能な本体ユニットと、前記本体ユニットの前面側に取付可能で、遊技領域が設けられた遊技盤を保持する開口枠とを備えた遊技機において、
操作部の操作態様に応じて係止部を変位させる可動部を備え、前記操作部が第１の態様から第２の態様に操作されると係止部が前記開口枠の取り付け方向と略垂直な方向に変位し、前記操作部が第２の態様から第３の態様に操作されると前記係止部が前記開口枠の取り付け方向に変位する開口枠取り付け手段と、
前記係止部が前記略垂直な方向に変位したときに、前記係止部が挿入される係止部引っかけ手段とを、
前記開口枠取り付け手段を前記本体ユニット又は前記開口枠のいずれか一方に設けるとともに、前記係止部引っかけ手段を他方に設け、
前記係止部を前記開口枠の取り付け方向に変位させることにより、前記本体ユニットに前記開口枠を着脱自在に固定させるようにしたことを特徴とする遊技機。
【請求項２】
前記開口枠に前記遊技盤が着脱自在に取り付けられていることを特徴とする請求項１記載の遊技機。
【請求項３】
前記開口枠を、前記遊技領域を観察可能にする可視部を有する開口枠扉と、前記開口枠扉を開閉自在に保持する開口枠扉受け部とから構成したことを特徴とする請求項１又は２記載の遊技機。
【発明の詳細な説明】
【０００１】
【発明の属する技術分野】
本発明は、遊技場に設置して使用されるパチンコ機などの遊技機に関するものである。
【０００２】
【従来の技術】
遊技機の一つであるパチンコ機はパチンコ店などの遊技場に設置されている。一般にパチンコ機を含む遊技機は、パチンコ球発射装置、球受け皿などの遊技状態に応じて作動される装置が設けられた本体ユニット、前面側にパチンコ球が発射される遊技領域が設けられ、背面側に遊技状態に応じて作動される各種装置を作動制御する制御回路装置などが取り付けられた遊技盤ユニット、少なくとも遊技盤の遊技領域を覆うガラス扉が設けられている。遊技盤ユニット及びガラス扉は本体ユニットの前面側に取り付けられ、ガラス扉は開閉自在になっている。
【０００３】
遊技性又はデザインの異なる遊技機の機種の入れ替えが行われる際には、本体ユニットに遊技盤ユニット及びガラス扉が取り付けられた状態で全て交換されるか、又は、本体ユニット及びガラス扉を据え置きとして、遊技盤ユニットのみが交換される。
【０００４】
【発明が解決しようとする課題】
しかしながら、遊技盤ユニットのみを交換してもパチンコ機の外観に変化がなく、新たな機種のイメージが伝わりにくいという問題があるため、例えばガラス扉と遊技盤ユニットを一体化してこれらを交換可能にしたり、あるいは、制御回路装置を本体ユニットに取り付けたままにし、ガラス扉と遊技盤などを一体化して交換可能にすることが検討されているが、ガラス扉と遊技盤ユニットや遊技盤などを一体化して交換する場合、その重量が重いため、機種交換の際の作業性が悪くなるおそれがある。また、機種交換の作業中にガラス扉を落下させてしまうと、ガラスが破損して作業者が怪我をするおそれもある。
【０００５】
本発明は、上記課題を解決するためになされたもので、機種交換の際に、ガラス扉と遊技盤ユニットや遊技盤などを一体化して交換するにあたって、交換作業の作業性を向上させることができるようにした遊技機を提供することを目的とする。
【０００６】
【課題を解決するための手段】
上記目的を達成するために、本発明の遊技機は、遊技状態に応じて作動される装置が取付可能な本体ユニットと、前記本体ユニットの前面側に取付可能で、遊技領域が設けられた遊技盤を保持する開口枠とを備えた遊技機において、操作部の操作態様に応じて係止部を変位させる可動部を備え、前記操作部が第１の態様から第２の態様に操作されると係止部が前記開口枠の取り付け方向と略垂直な方向に変位し、前記操作部が第２の態様から第３の態様に操作されると前記係止部が前記開口枠の取り付け方向に変位する開口枠取り付け手段と、前記係止部が前記略垂直な方向に変位したときに、前記係止部が挿入される係止部引っかけ手段とを、前記開口枠取り付け手段を前記本体ユニット又は前記開口枠のいずれか一方に設けるとともに、前記係止部引っかけ手段を他方に設け、前記係止部を前記開口枠の取り付け方向に変位させることにより、前記本体ユニットに前記開口枠を着脱自在に固定させるようにしたものである。
【０００７】
なお、前記開口枠に前記遊技盤が着脱自在に取り付けられていることが好ましい。
【０００８】
また、前記開口枠を、前記遊技領域を観察可能にする可視部を有する開口枠扉と、前記開口枠扉を開閉自在に保持する開口枠扉受け部とから構成することが好ましい。
【０００９】
【発明の実施の形態】
図１及び図２に示す遊技機の本実施例であるパチンコ機１０は、本体ユニット１１、遊技盤ユニット１２、ガラス枠１３（開口枠）から構成されている。本体ユニット１１には、パチンコ球発射装置、賞球払い出し装置、電源回路、ランプＲ、スピーカーＳなどの遊技状態に応じて作動される装置が設けられている。
【００１０】
遊技盤ユニット１２は遊技盤１２ａと制御回路装置１２ｂとから構成されている。遊技盤１２ａの前面側の遊技領域には、図柄表示装置１４、始動口１５、通常入賞口１６、通過入賞口１７、アタッカ１８などの所定入賞口及びアウト口１９が設けられ、背面側には、遊技状態に応じて各種装置を作動制御する制御回路装置１２ｂが設けられている。図示は省略してあるが、遊技盤１２ａの遊技領域には複数の障害釘や風車などが適宜箇所に設けられている。
【００１１】
制御回路装置１２ｂは、機種に応じたゲームを実行処理させるメイン制御基盤（装置）１２ｃや図柄表示装置１４の表示制御、ランプＲの点灯制御、スピーカーＳから出力される音声制御などを行うサブ制御基盤（装置）１２ｄなどから構成されている。
【００１２】
操作ハンドルＨを操作すると、遊技媒体であるパチンコ球がパチンコ球発射装置によって一個ずつ遊技盤１２の遊技領域に打ち出され、始動口１５、通常入賞口１６、通過入賞口１７、アウト口１９のいずれかに入る。始動口１５にパチンコ球が入ったときには図柄表示装置１４が作動され、表示されている図柄の可変表示が所定時間行われて当たり判定や演出処理が行われる。そして、図柄の可変表示が停止されたときに入賞有効位置上に所定の停止図柄の組み合わせが得られると当たりとなり、遊技上の利益を獲得するうえで遊技者にとって通常よりも有利となる遊技状態へと所定期間移行される。
【００１３】
当たりが得られるときに生じる有利な遊技状態となると、例えば開閉可能な扉部材を備えたアタッカ１８を１回につき所定時間又はパチンコ球が所定個数入賞するまで閉口状態から開口状態にし、これが所定回数繰り返される。始動口１５、通常入賞口１６又はアタッカ１８にパチンコ球が入賞すると所定個数の景品球となる賞球払い出しが行われる。始動口１５、通常入賞口１６又はアタッカ１８にパチンコ球が入賞しなかった場合は、未入賞のパチンコ球としてアウト口１９に入ってハズレ球として回収される。前記景品球は、入賞された入賞口の種類に応じた個数のパチンコ球が払い出し口２０から球受皿２１に払い出される。
【００１４】
ガラス枠１３はガラス扉１３ａ（開口枠扉）と扉受け部１３ｂ（開口枠扉受け部）とから構成されている。ガラス扉１３ａは、ヒンジ２２を介して扉受け部１３ｂに開閉自在に且つ着脱自在に取り付けられている。ガラス扉１３ａには可視部である開口１３ｃが形成されており、開口１３ｃにガラス２３が交換可能に取り付けられている。ガラス２３は、図示しないヒンジを介して開口１３ｃに対して回動自在となるように取り付けられている。ガラス扉１３ａには、ガラス２３の他、ランプＲやスピーカーＳなどが取り付けられている。扉受け部１３ｂには遊技盤ユニット１２が着脱自在で交換可能に取り付けられている。扉受け部１３ｂには遊技盤固定部材２４が設けられており、遊技盤固定部材２４の操作によって遊技盤ユニット１２を着脱することができる。
【００１５】
図３に示すように、本体ユニット１１には、ガラス枠取り付け装置（開口枠取り付け手段）３０が設けられており、ガラス枠１３には係止部材引っかけ部３１（係止部引っかけ手段）が設けられている。ガラス枠１３は、ガラス枠取り付け装置３０及び係止部材引っかけ部３１によって本体ユニット１１に着脱自在で交換可能に取り付けられている。ガラス枠取り付け装置３０は、ガラス枠１３の開口１３ｃ近傍の４カ所に形成されたフレーム３２に取り付けられている。なお、図３では制御回路装置１２ｂの図示を省略している。
【００１６】
図４に示すように、ガラス枠取り付け装置３０には、操作部３０ａ、係止部材３０ｂ（係止部）、係止部材取付部３０ｃ（可動部）が設けられている。操作部３０ａは軸３０ｄを中心に回動自在で、且つ、軸３０ｅを中心に揺動自在に設けられている。係止部材３０ｂは、図４（ａ）中に実線で示す突出位置と二点鎖線で示す待避位置との間で、ガラス枠１３の取り付け方向と略垂直な方向（図中Ａ方向）に変位可能となるように係止部材取付部３０ｃに取り付けられている。係止部材取付部３０ｃは、図４（ａ）中に実線で示す係止位置と二点鎖線で示す係止解除位置との間で、ガラス枠１３の取り付け方向（図中Ｂ方向）に変位可能にされている。
【００１７】
操作部３０ａが図４（Ｂ）中に実線で示す取り外し位置３０ａ１（第１の態様）から二点鎖線で示すロック解除位置３０ａ２（第２の態様）に回動（図中Ｄ方向）されると、係止部材３０ｂが待避位置３０ｂ１から突出位置３０ｂ２に変位される。係止部材３０ｂを突出位置３０ｂ２へと変位させた後に、操作部３０ａを図４（Ａ）中に二点鎖線で示すロック位置３０ａ３（第３の態様）に揺動（図中Ｅ方向）させると、係止部材取付部３０ｃが突出位置３０ｂ２から係止位置３０ｂ３に変位される。
【００１８】
係止部材引っかけ部３１は、ガラス枠１３が本体ユニット１１に取り付けられたときに、ガラス枠取り付け装置３０の係止部材３０ｂと対向するように、４カ所に形成されている。係止部材引っかけ部３１には開口３１ａが形成されている。開口３１ａは係止部材３０ｂが挿入可能な大きさに形成されている。係止部材取付部３０ｃを係止位置３０ｂ３に位置させることで、係止部材引っかけ部３１と係止部材３０ｂとが係止するようになる。
【００１９】
次に、上記のように構成された本実施形態における遊技機（パチンコ機１０）の作用について説明する。図５及び図６に示すように、新たな機種のガラス枠１３を本体ユニット１１に取り付ける場合は、先ず、ガラス枠１３を本体ユニット１１に挿入する。ガラス枠１３の挿入後、ガラス枠取り付け装置３０の操作部３０ａが取り外し位置３０ａ１からロック解除位置３０ａ２に回動されると、係止部材３０ａが待避位置３０ｂ１から突出位置３０ｂ２に突出する。これにより、係止部材３０ａが係止部材引っかけ部３１の開口３１ａ内に入り込んで、ガラス枠１３が本体ユニット１１から脱落することがなくなる。操作部３０ａがロック解除位置３０ａ２からロック位置３０ａ３に揺動されると、係止部材取付部３０ｃが係止解除位置３０ｂ２から係止位置３０ｂ３に変位する。これにより、係止部材３０ｂが係止部材引っかけ部３１を本体ユニット１１側に引き込むように弛緩なく係止し、ガラス枠１３が本体ユニット１１に固定される。
【００２０】
ガラス枠１３を本体ユニット１１から取り外す場合には、先ず、ガラス枠取り付け装置３０の操作部３０ａをロック位置３０ａ３からロック解除位置３０ａ２に揺動させる。操作部３０ａがロック解除位置３０ａ２に変位されると、係止部材取付部３０ｃが係止位置３０ｂ３から係止解除位置３０ｂ２に変位する。これにより、係止部材引っかけ部３１と係止部材３０ｂとの係止が解除され、ガラス枠１３が本体ユニット１１に固定された状態が解除される。操作部３０ａがロック解除位置３０ａ２から取り外し位置３０ａ１に回動されると、係止部材３０ｂが突出位置３０ｂ２から待避位置３０ｂ１に変位する。これにより、係止部材３０ｂが係止部材引っかけ部３１の開口３１ａから待避して、ガラス枠１３を本体ユニット１１から取り外し可能な状態となる。
【００２１】
上記実施形態では、ガラス枠１３と遊技盤ユニット１２とを一体化させた状態で、ガラス枠１３を本体ユニット１１に取り付けるようにしたが、ガラス枠１３に遊技盤ユニット１２を一体化させていない状態で、ガラス枠１３を本体ユニット１１に取り付けた後に遊技盤ユニット１２をガラス枠１３に取り付けるようにしてもよい。
【００２２】
上記実施形態では、ガラス枠１３を着脱自在に交換可能としたが、球受皿２１など、ガラス枠１３以外の部分をガラス枠１３と一体化して着脱自在で交換可能としてもよい。
【００２３】
上記実施形態では、遊技盤１２ａと制御回路装置１２ｂとを一体化したが、制御回路装置１２ｂを本体ユニット１１と一体化、又は、制御回路装置１２ｂをガラス枠１３と一体化としてもよい。
【００２４】
【発明の効果】
以上のように、本発明の遊技機によれば、操作部の操作態様に応じて係止部を変位させる可動部を備え、前記操作部が第１の態様から第２の態様に操作されると係止部が前記開口枠の取り付け方向と略垂直な方向に変位し、前記操作部が第２の態様から第３の態様に操作されると前記係止部が前記開口枠の取り付け方向に変位する開口枠取り付け手段と、前記係止部が前記略垂直な方向に変位したときに、前記係止部が挿入される係止部引っかけ手段とを、前記開口枠取り付け手段を前記本体ユニット又は前記開口枠のいずれか一方に設けるとともに、前記係止部引っかけ手段を他方に設け、前記係止部を前記開口枠の取り付け方向に変位させることにより、前記本体ユニットに前記開口枠を着脱自在に固定させるようにしたので、機種交換の際に、ガラス扉又は遊技盤ユニットや遊技盤などの何れかを一体化して交換するにあたって、交換作業の作業性を向上させることができる。
【図面の簡単な説明】
【図１】本発明を実施したパチンコ機の外観斜視図である。
【図２】ガラス枠が本体ユニットから分離された状態を示す斜視図である。
【図３】ガラス枠が本体ユニットから分離された状態を示す背面斜視図である。
【図４】ガラス枠取り付け装置の正面図及び側面図である。
【図５】ガラス枠が本体ユニットから分離された状態を示す断面図である。
【図６】ガラス枠が本体ユニットに固定された状態を示す断面図である。
【符号の説明】
１０  パチンコ機
１１  本体ユニット
１２  遊技盤ユニット
１３  ガラス枠
１３ａ  ガラス扉
１３ｂ  扉受け部
３０  ガラス枠取り付け装置
３０ａ  操作部
３０ｂ  係止部材
３０ｃ  係止部材取付部
３１  ガラス枠引っかけ部
【図１】
2004283472.tif 000003
【図２】
2004283472.tif 000004
【図３】
2004283472.tif 000005
【図４】
2004283472.tif 000006
【図５】
2004283472.tif 000007
【図６】
2004283472.tif 000008